(57)【要約】【課題】煩雑な作業を要することなく縦枠を確実に躯体に取り付けて防火性を高める。【解決手段】躯体Ｂの見込み面Ｂｂを覆う見込みカバー部１３Ａｂと、躯体Ｂの見付け面Ｂａを覆う見付けカバー部１３Ａａとを一体に成形した縦枠１３を備える建具において、見込みカバー部１３Ａａの先端部に、見込みカバー部１３Ａａに沿って延在する取付基板部３１と、取付基板部３１の端縁から屈曲して延在する屈曲延在部３２とを有した係止部材３０を縦枠１３の長手方向に沿った全長に連続する状態で配設し、係止部材３０を躯体Ｂに係止させることにより、見込みカバー部１３Ａａの先端部を躯体Ｂに取り付けた額縁４０に支持させた。【選択図】図３
2016102354.tif 000002
【特許請求の範囲】
【請求項１】
躯体の見込み面を覆う見込みカバー部と、前記躯体の見付け面を覆う見付けカバー部とを一体に成形した縦枠を備える建具において、
前記見込みカバー部の先端部に係止部材を配設し、前記係止部材を前記躯体に係止させることにより、前記見込みカバー部の先端部を前記躯体に取り付けた額縁に支持させたことを特徴とする建具。
【請求項２】
前記係止部材は、前記見込みカバー部に沿って延在する取付基板部と、前記取付基板部の端縁から屈曲して延在する屈曲延在部とを有したことを特徴とする請求項１に記載の建具。
【請求項３】
前記縦枠の長手方向に沿った全長に連続する状態で前記係止部材を配設したことを特徴とする請求項１に記載の建具。
【請求項４】
前記見込みカバー部において前記躯体に対向する対応する部位に加熱膨張材を配設したことを特徴とする請求項１に記載の建具。
【発明の詳細な説明】
【技術分野】
【０００１】
本発明は、建具に関するもので、詳細には躯体に支持させた枠の防火構造に関するものである。
【背景技術】
【０００２】
建具の開口枠を構成するそれぞれの枠は、躯体の見付け面を覆う見付けカバー部と、躯体の見込み面を覆う見込みカバー部とが一体に成形されており、これら見付けカバー部及び見込みカバー部を介して躯体の開口部に支持されている。すなわち、躯体に枠を取り付ける場合には、見付けカバー部を介して躯体の外側表面にネジを螺合させ、さらに見込みカバー部を介して開口部内壁面にネジを螺合させるようにしている。上記のようにして枠を躯体に取り付けた場合には、火災発生時に高温状態となった場合にも、見付けカバー部や見込みカバー部がそれぞれの端部から捲れ上がって躯体から剥離するおそれがなく、また枠が撓むような事態を招来するおそれもない（例えば、特許文献１参照）。
【先行技術文献】
【特許文献】
【０００３】
【特許文献１】実開昭６３−１６９６８９号公報
【発明の概要】
【発明が解決しようとする課題】
【０００４】
ところで、見付けカバー部及び見込みカバー部にネジを螺合するには、それぞれを躯体に当接させた状態で行う必要がある。下枠については、建具が搭載される状態となるため、見込みカバー部を躯体の開口部内壁面と当接させることが可能である。しかしながら、縦枠にあっては、躯体の開口部内壁面と見込みカバー部との間に調整代として隙間が確保されている場合が多い。また、昨今においては、縦枠を設ける躯体の開口部にＣ型鋼が用いられる等、開口部内壁面が存在しない場合もあり得る。
【０００５】
こうした状況下にあっては、縦枠を取り付ける以前に、予め躯体の開口部に見込みカバー部が当接することのできる部材を設ける必要があり、開口枠を取り付ける際の作業を煩雑化する要因となり得る。
【０００６】
本発明は、上記実情に鑑みて、煩雑な作業を要することなく縦枠を確実に躯体に取り付けて防火性を高めることのできる建具を提供することを目的とする。
【課題を解決するための手段】
【０００７】
上記目的を達成するため、本発明に係る建具は、躯体の見込み面を覆う見込みカバー部と、前記躯体の見付け面を覆う見付けカバー部とを一体に成形した縦枠を備える建具において、前記見込みカバー部の先端部に係止部材を配設し、前記係止部材を前記躯体に係止させることにより、前記見込みカバー部の先端部を前記躯体に取り付けた額縁に支持させたことを特徴とする。
【０００８】
この発明によれば、見込みカバー部に設けた係止部材を額縁に係止させるようにしているため、予め躯体の開口部に部材を設けておく必要がなく、煩雑な作業を要することなく開口枠を躯体に取り付けることが可能となる。
【０００９】
また本発明は、上述した建具において、前記係止部材は、前記見込みカバー部に沿って延在する取付基板部と、前記取付基板部の端縁から屈曲して延在する屈曲延在部とを有したことを特徴とする。
【００１０】
この発明によれば、互いに屈曲する取付基板部及び屈曲延在部を有した係止部材が見込みカバー部の先端部に取り付けられるため、係止部材によって見込みカバー部が補強された状態となり、火災発生時等に高温状態となった場合にも縦枠の撓みをより確実に抑えることが可能となる。
【００１１】
また本発明は、上述した建具において、前記縦枠の長手方向に沿った全長に連続する状態で前記係止部材を配設したことを特徴とする。
【００１２】
この発明によれば、縦枠と躯体とが連続した部分で係止されるため、縦枠に局所的な力が加えられることがない。
【００１３】
また本発明は、上述した建具において、前記見込みカバー部において前記躯体に対向する対応する部位に加熱膨張材を配設したことを特徴とする。
【００１４】
この発明によれば、火災発生時においては縦枠の見込みカバー部と躯体との隙間が膨張した加熱膨張材によって塞がれることになり、縦枠の変形をより確実に抑制することができるようになる。
【発明の効果】
【００１５】
本発明によれば、見込みカバー部に設けた係止部材を躯体に係止させるようにしているため、予め躯体の開口部に部材を設けておく必要がなく、煩雑な作業を要することなく開口枠を躯体に取り付けることが可能となる。
【図面の簡単な説明】
【００１６】
【図１】図１は、本発明の実施の形態１である建具を室外側から見た図である。
【図２】図２は、図１に示した建具の縦断面図である。
【図３】図３は、図１に示した建具の横断面図である。
【図４】図４は、本発明の実施の形態２である建具の要部横断面図である。
【図５】図５は、本発明の実施の形態３である建具の要部横断面図である。
【図６】図６は、本発明の実施の形態４である建具の要部横断面図である。
【図７】図７は、本発明の実施の形態５である建具の要部横断面図である。
【発明を実施するための形態】
【００１７】
以下、添付図面を参照しながら本発明に係る建具の好適な実施の形態について詳細に説明する。
【００１８】
（実施の形態１）
図１〜図３は、本発明の実施の形態１である建具を示したものである。ここで例示する建具は、開口枠１０の内部に障子２０を固定配置した嵌め殺し窓と称されるものである。特に、本実施の形態１では、左右方向の寸法に対して上下方向の寸法が３倍程度の長さを有した縦長の嵌め殺し窓を例示している。
【００１９】
開口枠１０は、上枠１１、下枠１２及び左右の縦枠１３を四周枠組みすることにより構成してある。上枠１１、下枠１２及び縦枠１３は、それぞれアルミニウムやアルミニウム合金によって成形した押し出し形材からなる金属枠部分１１Ａ，１２Ａ，１３Ａと、樹脂によって成形した押し出し形材からなる樹脂枠部分１１Ｂ，１２Ｂ，１３Ｂとを有して構成したものである。金属枠部分１１Ａ，１２Ａ，１３Ａ及び樹脂枠部分１１Ｂ，１２Ｂ，１３Ｂは、見込み方向に並設した状態で互いに係合し、かつ金属枠部分１１Ａ，１２Ａ，１３Ａを室外側に配置した状態で躯体Ｂに取り付けてある。
【００２０】
図２及び図３に示すように、それぞれの枠１１，１２，１３の金属枠部分１１Ａ，１２Ａ，１３Ａは、見付けカバー部１１Ａａ，１２Ａａ，１３Ａａ及び見込みカバー部１１Ａｂ，１２Ａｂ，１３Ａｂを有して構成してある。これら見付けカバー部１１Ａａ，１２Ａａ，１３Ａａ及び見込みカバー部１１Ａｂ，１２Ａｂ，１３Ａｂは、互いに直角となる方向に延在したものである。見付けカバー部１１Ａａ，１２Ａａ，１３Ａａは、躯体Ｂの外側表面Ｂａを覆うように配設される部分であり、見込みカバー部１１Ａｂ，１２Ａｂ，１３Ａｂは躯体Ｂに設けた開口部の内壁面Ｂｂを覆うように配設される部分である。
【００２１】
障子２０は、矩形状を成すガラス２１の四周に上框２２、下框２３及び左右の縦框２４を装着することによって構成したものである。ガラス２１としては、網入りガラスまたは耐熱強化ガラス２１ａとフロートガラス２１ｂとを積層した複層ガラスを用いている。上框２２、下框２３及び縦框２４は、それぞれアルミニウムやアルミニウム合金によって成形した押し出し形材からなる金属框部分２２Ａ，２３Ａ，２４Ａと、樹脂によって成形した押し出し形材からなる樹脂框部分２２Ｂ，２３Ｂ，２４Ｂとを有したものである。これら金属框部分２２Ａ，２３Ａ，２４Ａ及び樹脂框部分２２Ｂ，２３Ｂ，２４Ｂは、見込み方向に並設した状態で互いに係合し、金属框部分２２Ａ，２３Ａ，２４Ａを室外側に配置して障子２０の框２２，２３，２４を構成している。この障子２０は、開口枠１０の開口が常時閉じた状態となるように、框２２，２３，２４を介して開口枠１０に固定してある。
【００２２】
図２からも明らかなように、上枠１１の金属枠部分１１Ａ及び下枠１２の金属枠部分１２Ａには、それぞれの見込みカバー部１１Ａｂ，１２Ａｂに中空部１１Ａｃ，１２Ａｃが構成してあり、さらに下枠１２の中空部１２Ａｃには補強材１４が配設してある。補強材１４は、アルミニウムやアルミニウム合金よりも融点の高いステンレスや鋼材によって成形したもので、下枠１２の全長にわたる部位に設けてある。
【００２３】
これに対して縦枠１３の金属枠部分１３Ａは、図３に示すように、見込みカバー部１３Ａｂが平板状を成すように構成してあり、それぞれの先端部の全長に係止部材３０を備えている。係止部材３０は、平板状を成す取付基板部３１と、取付基板部３１の端縁から屈曲して延在する屈曲延在部３２とを有したＬ字状を成すもので、アルミニウムやアルミニウム合金、あるいはステンレスや鋼材によって一体に成形してある。この係止部材３０は、取付基板部３１を介して見込みカバー部１３Ａｂにネジ止めしてあり、屈曲延在部３２が見込みカバー部１３Ａｂの先端部において見付けカバー部１３Ａａと同じ方向に突出している。係止部材３０を取り付ける位置は、見込みカバー部１３Ａｂの先端面と屈曲延在部３２の端面とが一致する部位である。
【００２４】
上記の構成を有する建具を躯体Ｂに取り付ける場合には、予め、躯体Ｂに設けた開口部内壁面Ｂｂの四周に額縁４０を取り付ける。額縁４０は、石膏ボード等、不燃材によって構成した平板状部材であり、同じ大きさのものを二枚重ねで躯体Ｂの開口部に取り付けてある。額縁４０を設ける位置は、開口部内壁面Ｂｂにおいて室内側に位置する部分であり、枠１１，１２，１３の金属枠部分１１Ａ，１２Ａ，１３Ａに設けた見付けカバー部１１Ａａ，１２Ａａ，１３Ａａを躯体Ｂの外側表面Ｂａに当接させた場合に見込みカバー部１１Ａｂ，１２Ａｂ，１３Ａｂの先端面が額縁４０の室外側に位置する端面４１に当接するように設定する。
【００２５】
次いで、予め枠組みした開口枠１０を躯体Ｂの開口部に設置し、それぞれの枠１１，１２，１３の金属枠部分１１Ａ，１２Ａ，１３Ａに設けた見付けカバー部１１Ａａ，１２Ａａ，１３Ａａを介して躯体Ｂの外側表面ＢａにネジＳを螺合する。縦枠１３の金属枠部分１３Ａにおいて見込み面カバー部１３Ａｂの躯体Ｂに対向する面には、予め加熱膨張材ＨＣを貼り付けておく。さらに、それぞれの枠１１，１２，１３の樹脂枠部分１１Ｂ，１２Ｂ，１３Ｂを介して額縁４０の見込み面にネジＳを螺合すれば、開口枠１０を躯体Ｂに固定することができる。その後、開口枠１０の内部に障子２０を配置し、枠１１，１２，１３と框２２，２３，２４との間をネジ止めして固定すれば、躯体Ｂに嵌め殺し窓が設置されることになる。
【００２６】
ここで、図２に示すように、下枠１２については、金属枠部分１２Ａが躯体Ｂに設けた開口部内壁面Ｂｂに当接した状態となる。これに対して縦枠１３は、図３に示すように、躯体Ｂの外側表面Ｂａには当接しているものの、見込みカバー部１３Ａｂと躯体Ｂに設けた開口部内壁面Ｂｂとの間は互いに当接した状態にない。しかも、縦枠１３の見込みカバー部１３Ａｂと躯体Ｂに設けた開口部内壁面Ｂｂとの間にネジを螺合していない。さらに、縦枠１３の樹脂枠部分１３Ｂについては、額縁４０にネジＳが螺合してあるものの、高温状態となった場合に十分な強度を確保することが困難となるおそれがある。このため、例えば室外側に火災が発生して高温状態となった場合には、縦枠１３に容易に変形を来たし、見込みカバー部１３Ａｂの先端部が捲れ上がって躯体Ｂから剥離する等の問題を招来するおそれがある。
【００２７】
しかしながら、上述の建具によれば、縦枠１３の見込みカバー部１３Ａｂに断面がＬ字状を成す係止部材３０を取り付けるようにしているため、係止部材３０によって見込みカバー部１３Ａｂが補強されることになる。従って、上下方向の寸法が大きい建具であっても、縦枠１３に変形を来すおそれはない。しかも、この係止部材３０の屈曲延在部３２は、躯体Ｂの開口部に設けた額縁４０の端面４１に当接した状態となる。また、高温状態となった場合には、金属枠部分１３Ａの見込み面カバー部１３Ａｂに貼り付けた加熱膨張材ＨＣが膨張して躯体Ｂとの隙間を埋めることになる。従って、躯体Ｂの開口部に予め見込みカバー部１３Ａｂを当接させるための部材を設けなくとも、火災発生時等において高温状態となった場合に縦枠１３の見込みカバー部１３Ａｂが捲れ上がって躯体Ｂから剥離する事態が生じるおそれはなく、縦枠１３と躯体Ｂとの間に火炎の貫通口が形成されることもない。
【００２８】
尚、上述した実施の形態１では、係止部材３０を額縁４０の端面４１に当接させるようにしているが、本発明はこれに限定されず、係止部材３０を額縁４０に係合させるようにしても良いし、係止部材３０を額縁４０と躯体Ｂとの間に差し入れるようにしても構わない。
【００２９】
（実施の形態２）
図４は、本発明の実施の形態２である建具の要部を示したものである。ここで例示する建具は、実施の形態１と同様、開口枠１０の内部に障子２０を固定配置した嵌め殺し窓と称されるもので、実施の形態１とは係止部材の構成及び係止部材を躯体Ｂに係止させる構造が異なったものである。以下、実施の形態１と異なる部分について主に説明し、共通部分については同一の符号を付して詳細説明を省略する。
【００３０】
実施の形態２の建具に適用する係止部材１３０は、平板状を成す取付基板部１３１と、取付基板部１３１の端縁から屈曲して延在する屈曲延在部１３２と、屈曲延在部１３２の端縁から取付基板部１３１とは反対の方向に屈曲して延在する係止板部１３３とを有したもので、アルミニウムやアルミニウム合金、あるいはステンレスや鋼材によって一体に成形してある。この係止部材１３０は、取付基板部１３１を介して縦枠１３の見込みカバー部１３Ａｂにネジ止めしてあり、屈曲延在部１３２が見込みカバー部１３Ａｂの先端部において見付けカバー部１３Ａａと同じ方向に突出している。係止部材１３０を取り付ける位置は、見込みカバー部１３Ａｂの先端面と屈曲延在部１３２の端面とが一致する部位である。
【００３１】
上記の構成を有する建具を躯体Ｂに取り付ける場合には、予め、躯体Ｂに設けた開口部内壁面Ｂｂにスペーサ５０を介して石膏ボード等、不燃材から成る額縁４０を取り付ける。額縁４０を設ける位置は、開口部内壁面Ｂｂにおいて室内側に位置する部分であり、縦枠１３の金属枠部分１３Ａに設けた見付けカバー部１３Ａａを躯体Ｂの外側表面Ｂａに当接させた場合に見込みカバー部１３Ａｂの先端面が額縁４０の室外側に位置する端面４１に当接するように設定する。スペーサ５０は、縦枠１３の見付けカバー部１３Ａａを躯体Ｂの外側表面Ｂａに当接させた場合に、開口部内壁面Ｂｂから係止板部１３３の見付け面までの距離に等しい板厚となるように設定してある。
【００３２】
次いで、縦枠１３を躯体Ｂの開口部に設置し、金属枠部分１３Ａに設けた見付けカバー部１３Ａａを介して躯体Ｂの外側表面ＢａにネジＳを螺合する。さらに、樹脂枠部分１３Ｂを介して額縁４０の見込み面にネジＳを螺合すれば、縦枠１３を躯体Ｂに固定することができる。その後、障子２０を配置して縦枠１３と縦框２４との間をネジ止めして固定すれば良い。
【００３３】
上述の建具においても、縦枠１３の見込みカバー部１３Ａｂに屈曲した断面を有する係止部材１３０を取り付けるようにしているため、係止部材１３０によって見込みカバー部１３Ａｂが補強されることになる。従って、上下方向の寸法が大きい建具であっても、縦枠１３に変形を来すおそれはない。しかも、この係止部材１３０は、屈曲延在部１３２が躯体Ｂの開口部に設けた額縁４０の端面４１に当接した状態となるとともに、係止板部１３３が額縁４０と躯体Ｂとの間において額縁４０に係止した状態となる。従って、躯体Ｂの開口部に予め見込みカバー部１３Ａｂを当接させるための部材を設けなくとも、火災発生時等において高温状態となった場合に縦枠１３の見込みカバー部１３Ａｂが捲れ上がって躯体Ｂから剥離する事態が生じるおそれはなく、縦枠１３と躯体Ｂとの間に火炎の貫通口が形成されることもない。
【００３４】
（実施の形態３）
図５は、本発明の実施の形態３である建具の要部を示したものである。ここで例示する建具は、実施の形態１と同様、開口枠１０の内部に障子２０を固定配置した嵌め殺し窓と称されるもので、実施の形態１とは係止部材の構成及び係止部材を躯体Ｂに係止させる構造が異なったものである。以下、実施の形態１と異なる部分について主に説明し、共通部分については同一の符号を付して詳細説明を省略する。
【００３５】
実施の形態３の建具に適用する係止部材２３０は、平板状を成す取付基板部２３１と、取付基板部２３１の端縁から屈曲して延在する屈曲延在部２３２と、屈曲延在部２３２の端縁から取付基板部２３１と同じ方向に屈曲して延在する係止板部２３３とを有したもので、アルミニウムやアルミニウム合金、あるいはステンレスや鋼材によって一体に成形してある。この係止部材２３０は、取付基板部２３１を介して見込みカバー部１３Ａｂにネジ止めしてあり、屈曲延在部２３２が見込みカバー部１３Ａｂの先端部において見付けカバー部１３Ａａと同じ方向に突出している。係止部材２３０を取り付ける位置は、見込みカバー部１３Ａｂの先端面から屈曲延在部２３２の端部が突出する部位である。
【００３６】
上記の構成を有する建具を躯体Ｂに取り付ける場合には、予め、躯体Ｂに設けた開口部内壁面Ｂｂの四周に額縁４０を取り付ける。額縁４０は、石膏ボード等、不燃材によって構成した平板状部材であり、二枚重ねて躯体Ｂの開口部に取り付けてある。額縁４０を設ける位置は、開口部内壁面Ｂｂにおいて室内側に位置する部分であり、縦枠１３の金属枠部分１３Ａに設けた見付けカバー部１３Ａａを躯体Ｂの外側表面Ｂａに当接させた場合に見込みカバー部１３Ａｂの先端面が額縁４０の室外側に位置する端面４１に当接するように設定する。額縁４０の相互間には、係止部材２３０の取付基板部２３１を挿入することのできる隙間Ｃ１を確保し、かつ額縁４０と躯体Ｂとの間には、係止部材２３０の係止板部２３３を挿入することのできる隙間Ｃ２を確保する。額縁４０の相互間及び額縁４０と躯体Ｂとの間に隙間Ｃ１，Ｃ２を確保するにはスペーサを介在させれば良い。
【００３７】
次いで、縦枠１３を躯体Ｂの開口部に設置し、金属枠部分１３Ａに設けた見付けカバー部１３Ａａを介して躯体Ｂの外側表面ＢａにネジＳを螺合する。さらに、樹脂枠部分１３Ｂを介して額縁４０の見込み面にネジＳを螺合すれば、縦枠１３を躯体Ｂに固定することができる。その後、障子２０を配置して縦枠１３と縦框２４との間をネジ止めして固定すれば良い。
【００３８】
上述の建具においても、縦枠１３の見込みカバー部１３Ａｂに屈曲した断面を有する係止部材２３０を取り付けるようにしているため、係止部材２３０によって見込みカバー部１３Ａｂが補強されることになる。従って、上下方向の寸法が大きい建具であっても、縦枠１３に変形を来すおそれはない。しかも、この係止部材２３０は、取付基板部２３１が額縁４０の相互間に挿入されるとともに、係止板部２３３が額縁４０と躯体Ｂとの間に挿入された状態となる。従って、躯体Ｂの開口部に予め見込みカバー部１３Ａｂを当接させるための部材を設けなくとも、火災発生時等において高温状態となった場合に縦枠１３の見込みカバー部１３Ａｂが捲れ上がって躯体Ｂから剥離する事態が生じるおそれはなく、縦枠１３と躯体Ｂとの間に火炎の貫通口が形成されることもない。
【００３９】
（実施の形態４）
図６は、本発明の実施の形態４である建具の要部を示したものである。ここで例示する建具は、実施の形態１と同様、開口枠１０の内部に障子２０を固定配置した嵌め殺し窓と称されるもので、実施の形態１とは係止部材の構成及び係止部材を躯体Ｂに係止させる構造が異なったものである。以下、実施の形態１と異なる部分について主に説明し、共通部分については同一の符号を付して詳細説明を省略する。
【００４０】
実施の形態４の建具に適用する係止部材３３０は、平板状を成し、アルミニウムやアルミニウム合金、あるいはステンレスや鋼材によって一体に成形したもので、見込みカバー部１３Ａｂにネジ止めしてある。係止部材３３０を取り付ける位置は、見込みカバー部１３Ａｂの先端面から突出する部位である。
【００４１】
上記の構成を有する建具を躯体Ｂに取り付ける場合には、予め、躯体Ｂに設けた開口部内壁面Ｂｂの四周に額縁４０を取り付ける。額縁４０は、石膏ボード等、不燃材によって構成した平板状部材であり、二枚重ねて躯体Ｂの開口部に取り付けてある。額縁４０を設ける位置は、開口部内壁面Ｂｂにおいて室内側に位置する部分であり、縦枠１３の金属枠部分１３Ａに設けた見付けカバー部１３Ａａを躯体Ｂの外側表面Ｂａに当接させた場合に見込みカバー部１３Ａｂの先端面が額縁４０の室外側に位置する端面に当接するように設定する。額縁４０の相互間には、スペーサを介在させる等して係止部材３３０の取付基板部２３１を挿入することのできる隙間Ｃを確保する。
【００４２】
次いで、縦枠１３を躯体Ｂの開口部に設置し、金属枠部分１３Ａに設けた見付けカバー部１３Ａａを介して躯体Ｂの外側表面ＢａにネジＳを螺合する。さらに、樹脂枠部分１３Ｂを介して額縁４０の見込み面にネジＳを螺合すれば、縦枠１３を躯体Ｂに固定することができる。その後、障子２０を配置して縦枠１３と縦框２４との間をネジ止めして固定すれば良い。
【００４３】
上述の建具においても、縦枠１３の見込みカバー部１３Ａｂに取り付けた係止部材３３０が額縁４０の相互間に挿入された状態となる。従って、躯体Ｂの開口部に予め見込みカバー部１３Ａｂを当接させるための部材を設けなくとも、火災発生時等において高温状態となった場合に縦枠１３の見込みカバー部１３Ａｂが捲れ上がって躯体Ｂから剥離する事態が生じるおそれはなく、縦枠１３と躯体Ｂとの間に火炎の貫通口が形成されることもない。
【００４４】
（実施の形態５）
図７は、本発明の実施の形態５である建具の要部を示したものである。ここで例示する建具は、実施の形態１と同様、開口枠１０の内部に障子２０を固定配置した嵌め殺し窓と称されるもので、実施の形態１とは係止部材の構成及び係止部材を躯体Ｂに係止させる構造が異なったものである。以下、実施の形態１と異なる部分について主に説明し、共通部分については同一の符号を付して詳細説明を省略する。
【００４５】
実施の形態５の建具に適用する係止部材４３０は、断面が矩形の筒状を成し、アルミニウムやアルミニウム合金、あるいはステンレスや鋼材によって成形したもので、見込みカバー部１３Ａｂにネジ止めしてある。係止部材４３０を取り付ける位置は、見込みカバー部１３Ａｂの先端面から突出する部位である。
【００４６】
上記の構成を有する建具を躯体Ｂに取り付ける場合には、予め、躯体Ｂに設けた開口部内壁面Ｂｂにおいて室内側に位置する部分の四周に額縁４０を取り付ける。額縁４０は、石膏ボード等、不燃材によって構成した平板状部材であり、二枚重ねて躯体Ｂの開口部に取り付けてある。躯体Ｂに近接する側の額縁４０は、係止部材４３０の幅寸法と同じ板厚を有したものである。外表面側の額縁４０は、縦枠１３の金属枠部分１３Ａに設けた見付けカバー部１３Ａａを躯体Ｂの外側表面Ｂａに当接させた場合に見込みカバー部１３Ａｂの先端面が外表面側の額縁４０の室外側に位置する端面４１に当接するように設定する。
【００４７】
次いで、縦枠１３を躯体Ｂの開口部に設置し、金属枠部分１３Ａに設けた見付けカバー部１３Ａａを介して躯体Ｂの外側表面ＢａにネジＳを螺合する。さらに、樹脂枠部分１３Ｂを介して額縁４０の見込み面にネジＳを螺合すれば、縦枠１３を躯体Ｂに固定することができる。その後、障子２０を配置して縦枠１３と縦框２４との間をネジ止めして固定すれば良い。
【００４８】
上述の建具においても、縦枠１３の見込みカバー部１３Ａｂに取り付けた係止部材４３０が外表面側の額縁４０と躯体Ｂとの間に挿入され、この額縁４０に係止された状態となる。従って、躯体Ｂの開口部に予め見込みカバー部１３Ａｂを当接させるための部材を設けなくとも、火災発生時等において高温状態となった場合に縦枠１３の見込みカバー部１３Ａｂが捲れ上がって躯体Ｂから剥離する事態が生じるおそれはなく、縦枠１３と躯体Ｂとの間に火炎の貫通口が形成されることもない。
【００４９】
尚、上述した実施の形態１〜実施の形態５では、開口枠１０に対して障子２０を固定配置したものを例示しているが、本発明はこれに限定されず、開口枠に対して障子が開閉可能に支持された建具に適用することも可能である。また、金属枠部分１３Ａと樹脂枠部分１３Ｂとから成る枠を備えた建具を例示しているが、必ずしもこれに限定されない。
【００５０】
尚、係止部材３０，１３０，２３０，３３０，４３０の係止対象となる額縁４０は、必ずしも不燃材で構成したものに限らず、その他の部材によって成形したものであっても構わない。
【符号の説明】
【００５１】
１０  開口枠、１３  縦枠、１３Ａ  金属枠部分、１３Ａａ  見込みカバー部、１３Ａｂ  見付けカバー部、３０，１３０，２３０，３３０，４３０  係止部材、３１，１３１，２３１  取付基板部、３２，１３２，２３２  屈曲延在部、４０  額縁、１３３，２３３  係止板部、Ｂ  躯体、ＨＣ  加熱膨張材
【図１】
2016102354.tif 000003
【図２】
2016102354.tif 000004
【図３】
2016102354.tif 000005
【図４】
2016102354.tif 000006
【図５】
2016102354.tif 000007
【図６】
2016102354.tif 000008
【図７】
2016102354.tif 000009